(57)【特許請求の範囲】
【請求項１】
天井に形成した開口に埋め込まれて設置される天井埋込型照明器具であって、
天井に埋め込まれる器具本体と、この器具本体に設けられた支持部材と、この支持部材に上下方向に移動可能かつ上下方向の軸周りに回転可能に設けられた係合部材と、この係合部材を下方に付勢する弾性部材とを有し、
前記支持部材は、前記器具本体と別体の一枚物の板材からなり、この板材に、前記係合部材を係止する係止部と、この係止部に連続して下方に向けて形成されたガイド溝とが形成されたものであって、前記器具本体に対する前記支持部材の上下方向の設置位置が変更可能であり、
前記係合部材は、一本の棒材からなり、この棒材の途中をＵ字状に屈曲させることにより前記支持部材の係止部に係合可能な第１係合部が形成されるとともに、前記棒材の先端を屈曲させることにより天井の裏面に係合可能な第２係合部が形成されたものであり、
前記係合部材は、これを前記弾性部材の付勢力に抗して前記ガイド溝に沿って上昇させ、さらに上下方向の軸周りに第１の方向に回転させることにより、前記第１係合部が前記係止部に係合し保持されて、前記第２係合部が器具本体側に退避して天井の裏面と係合しない非係合状態となり、前記第１の方向と反対の第２の方向に回転させることにより、前記第１係合部と前記係止部との係合が解除され、前記弾性部材の付勢力で前記ガイド溝に沿って下降し、前記第２係合部が器具本体の外方に突出して天井の裏面と係合する係合状態となり、この係合状態では前記第１係合部が前記ガイド溝内に位置し、前記第１係合部が前記ガイド溝と干渉することにより前記係合状態が維持されるようになっており、
さらに、前記係合部材が前記弾性部材の付勢力で下降して天井の裏面と係合する際の衝撃を緩和する衝撃緩和手段を備えた天井埋込型照明器具。
【請求項２】
前記衝撃緩和手段として前記支持部材のガイド溝に突出部を設け、前記係合部材がガイド溝内を下降するときに前記突出部に接触することにより、前記係合部材が天井の裏面と係合する際の衝撃を緩和するようにした請求項１に記載の天井埋込型照明器具。
【請求項３】
前記衝撃緩和手段として、前記係合部材の第２係合部に衝撃吸収部材を装着した請求項１に記載の天井埋込型照明器具。
【請求項４】
前記係合部材を下方に付勢する弾性部材を、前記係合部材の第１係合部の上方に配置した請求項１〜３のいずれかに記載の天井埋込型照明器具。
【請求項５】
前記器具本体の側板部にスライド溝を上下方向に設け、このスライド溝に前記支持部材を上下方向にスライド可能に係合させることにより、前記器具本体に対する前記支持部材の上下方向の設置位置を連続的に変更可能とした請求項１〜４のいずれかに記載の天井埋込型照明器具。
【発明の詳細な説明】
【技術分野】
【０００１】
本発明は、天井に形成した開口に埋め込まれて設置されるダウンライト等の天井埋込型照明器具に関する。
【背景技術】
【０００２】
ダウンライト等の天井埋込型照明器具は、天井に形成した開口に下方から挿入され天井に埋め込み設置されるが、この埋め込み設置のために、従来、様々な設置構造が提案されている。
【０００３】
その代表的な設置構造は板バネを使用したもので、例えば特許文献１には、天井埋込型照明器具の器具本体の側面に「レ」字型の板バネを取り付け、この板バネを器具本体側に折り曲げつつ天井の開口に押し込み、その復元弾性力により器具本体を天井に係止固定する設置構造が開示されている。
【０００４】
しかし、このように板バネを使用した設置構造では、板バネのヘタリ等によって板バネの復元弾性力が低下すると、わずかな外力によってガタツキが生じたり、天井からの垂れ下がりあるいは落下が生じたりする問題がある。上記特許文献１の構造では、板バネの取り付け位置を変更可能とすることで、設置環境に応じて復元弾性力の大きさを適正に設定できるようにしているが、板バネを使用する構造である以上、上記問題を根本的に解消することはできない。また、この板バネを使用した設置構造において器具本体を天井から取り外すには、板バネの復元弾性力が作用した状態で器具本体を下方に引き抜く必要があるので、天井が破損するおそれがある。
【０００５】
これに対して、特許文献２には、係合部材（取付金具）を器具本体の側面に出没可能に取り付け、器具本体を天井に設置する際には、係合部材を器具本体から突出させて天井の裏面に係合させ、器具本体を着脱する際には、係合部材を退避させるようにした設置構造が開示されている。この特許文献２の設置構造によれば、器具本体を着脱する際に係合部材によって天井が破損することはなくなる。
【０００６】
しかし、特許文献２の設置構造では、作業者が係合部材を出没させる必要があり、その作業は、器具本体を天井に設置する際には、器具本体を天井の開口に挿入後、器具本体の内部側から行う必要がある。したがって、現実には、器具本体内に設置され電球や反射板を取り外した上で係合部材を外方に突出させ、その後再度、電球や反射板を取り付けるという作業が必要になる。設置後の器具本体を取り外す際にも同様の作業が必要となる。
【０００７】
このように特許文献２の設置構造では、器具本体を天井に着脱する際に極めて煩雑な作業が必要となり、その作業に多大な時間がかかるとともに、作業者の負担も大きくなる。さらに、器具本体の設置時に外方に突出させた係合部材の固定状態が振動等により緩むことがあり、先の板バネを使用した設置構造と同様に、ガタツキが生じたり、天井からの垂れ下がりあるいは落下が生じたりする問題がある。
【０００８】
また、特許文献３には、操作部材であるロッドの回動によりロック突片が突出するとともに、ばねにより釣り天井に圧力を加えるようロック突片に圧力を発生させるようにした設置構造が開示されている。しかし、特許文献３の設置構造は、その構造が複雑であり大きな設置スペースを必要とすることから、小型の照明器具に適用するのは困難である。
【０００９】
さらに、特許文献４には、シャフトの回転により固定板が回転し、ばねの付勢力により天井を挟み込むことで固定する設置構造が開示されている。しかし、特許文献４の設置構造では、固定板が一枚の板材から構成されることから強度の確保が難しく、小型の照明器具に適用するのは困難である。
【００１０】
このような従来技術の問題を解消するため、本願出願人は、先に特願２００７−１００１１８において新たな設置構造を提案した。この設置構造は、器具本体に設けられた一枚物の板材からなる支持部材と、この支持部材に上下方向に移動可能かつ上下方向の軸周りに回転可能に設けられた一本の棒材からなる係合部材と、この係合部材を下方に付勢する弾性部材とを備えるものである。この設置構造によって、器具本体の天井への埋め込み設置を容易に行うことができるとともに、器具本体を天井に確実に設置することができるようになり、しかも構造が簡単で強度も十分であることから、照明器具の大小にかかわらず適用可能で汎用性が高くなり、コストも低減できるようになった。
【００１１】
ところが、この設置構造について種々の施工現場を想定して施工実験を行ったところ、係合部材が弾性部材の付勢力で下降して天井の裏面と係合する際の衝撃によって、施工現場の天井の状態によっては、天井が破損する可能性があることがわかった。
【００１２】
また、この設置構造では、支持部材と係合する係合部材の第１係合部を天井の下方から操作することにより、天井と係合状態とするようにしているが、係合部材を下方に付勢する弾性部材が係合部材の下側に装着されているため、結果として係合部材の第１係合部が上方に位置しており、天井の下方からの操作が行いにくい場合があることもわかった。
【００１３】
さらに、この設置構造では、天井の厚みに応じて係合部材の上下方向の位置を調整するため、器具本体の側板に複数段の装着孔を設け、この中から適当な所定の装着孔を選択し、係合部材を支持する支持部材をビス止めするようにしているが、支持部材の設置位置を変更するには、すべてのビスを取り外して再度ビス止めする必要があり、その作業に相当な手間と時間を要することもわかった。
【特許文献１】特開平４−６２７０９号公報
【特許文献２】特開平５−３６７０６号公報
【特許文献３】特開２００３−１５８３８８号公報
【特許文献４】特開平１０−２１４５１１号公報
【発明の開示】
【発明が解決しようとする課題】
【００１４】
本発明は、本願出願人が先に特願２００７−１００１１８で提案した照明器具の設置構造の改良に係るものであって、その第１の課題は、照明器具を天井に設置する際の衝撃を軽減することにある。第２の課題は、天井への設置をより簡単に行うことができるようにすることにある。
【課題を解決するための手段】
【００１５】
本発明の天井埋込型照明器具は、天井に形成した開口に埋め込まれて設置される天井埋込型照明器具であって、天井に埋め込まれる器具本体と、この器具本体に設けられた支持部材と、この支持部材に上下方向に移動可能かつ上下方向の軸周りに回転可能に設けられた係合部材と、この係合部材を下方に付勢する弾性部材とを有し、前記支持部材は、前記器具本体と別体の一枚物の板材からなり、この板材に、前記係合部材を係止する係止部と、この係止部に連続して下方に向けて形成されたガイド溝とが形成されたものであって、前記器具本体に対する前記支持部材の上下方向の設置位置が変更可能であり、前記係合部材は、一本の棒材からなり、この棒材の途中をＵ字状に屈曲させることにより前記支持部材の係止部に係合可能な第１係合部が形成されるとともに、前記棒材の先端を屈曲させることにより天井の裏面に係合可能な第２係合部が形成されたものである。そして、前記係合部材は、これを前記弾性部材の付勢力に抗して前記ガイド溝に沿って上昇させ、さらに上下方向の軸周りに第１の方向に回転させることにより、前記第１係合部が前記係止部に係合し保持されて、前記第２係合部が器具本体側に退避して天井の裏面と係合しない非係合状態となり、前記第１の方向と反対の第２の方向に回転させることにより、前記第１係合部と前記係止部との係合が解除され、前記弾性部材の付勢力で前記ガイド溝に沿って下降し、前記第２係合部が器具本体の外方に突出して天井の裏面と係合する係合状態となり、この係合状態では前記第１係合部が前記ガイド溝内に位置し、前記第１係合部が前記ガイド溝と干渉することにより前記係合状態が維持されるようになっている。さらに、前記係合部材が前記弾性部材の付勢力で下降して天井の裏面と係合する際の衝撃を緩和する衝撃緩和手段を備える。
【００１６】
本発明の天井埋込型照明器具は、このような構成を備えることで、予め係合部材を非係合状態とした上で、器具本体を天井の開口に挿入し、その後、係合部材を第２の方向に回転させるだけで、係合部材が係合状態になるので、器具本体の天井への埋め込み設置を容易に行うことができる。しかも、係合部材は係合状態において弾性部材によって常に下方に付勢されているので、係合状態を安定して維持することができ、器具本体を天井に確実に設置できて、器具本体のガタツキや天井からの垂れ下がりあるいは落下の発生を防止できる。また、本発明では、係合部材が係合状態にあるとき、係合部材の第１係合部が支持部材のガイド溝内に位置し、第１係合部がガイド溝と干渉することにより係合状態が維持されるようになっているので、係合状態を確実に維持することができ、前記弾性部材による付勢力と相俟って、器具本体を天井により確実に設置できる。
【００１７】
さらに、本発明の天井埋込型照明器具は、上述のとおり衝撃緩和手段を備えるので、係合部材が弾性部材の付勢力で下降して天井の裏面と係合する際の衝撃が緩和され、天井の破損を防止できる。また従来は、天井の破損を防止するために弾性部材の付勢力を制限する必要があったが、本発明は衝撃緩和手段を備えることで、従来よりも付勢力の大きな弾性部材を使用できるようになり、その結果、器具本体を天井により確実に設置できるようになり、器具本体のガタツキや天井からの垂れ下がりあるいは落下の発生を確実に防止できる。
【００１８】
衝撃緩和手段の具体的な態様としては、支持部材のガイド溝に突出部を設け、係合部材がガイド溝内を下降するときに突出部に接触することにより、係合部材が天井の裏面と係合する際の衝撃を緩和するようにすることができる。また、衝撃緩和手段として、係合部材の第２係合部に衝撃吸収部材を装着することもできる。
【００１９】
上述のとおり本発明では、係合部材の第１係合部を回転操作することにより、非係合状態から係合状態にするが、この係合部材の回転操作は、器具本体の下部の開口部分から挿入する操作治具により実施可能とすることが好ましい。そして、この操作治具による第１係合部の回転操作を容易にするため、係合部材を下方に付勢する弾性部材を、係合部材の第１係合部の上方に配置することが好ましい。すなわち、弾性部材を係合部材の第１係合部の上方に配置すると、その分、係合部材の第１係合部を下方に配置できるようになり、器具本体の下部の開口部分から挿入する操作治具による第１係合部の操作を容易に行うことができる。これによって、器具本体の天井への埋め込み設置の作業性をより一層向上させることができる。また、係合部材を係合状態から非係合状態に戻すには、係合部材を上昇させてさらに回転させるが、この操作も器具本体の下部の開口部分から挿入する操作治具により実施可能とすることが好ましい。
【００２０】
さらに本発明においては、器具本体の側板部にスライド溝を上下方向に設け、このスライド溝に支持部材を上下方向にスライド可能に係合させることにより、器具本体に対する支持部材の上下方向の設置位置を連続的に変更可能とすることが好ましい。これによって、施工現場の天井板の厚みに応じて支持部材の上下方向の設置位置を変更する際に、固定用のビスを取り外す必要がなくなるので、設置作業の作業性が向上する。
【発明の効果】
【００２１】
本発明によれば、器具本体の天井への埋め込み設置を容易かつ確実に行うことができるとともに、照明器具を天井に設置する際の衝撃を軽減することができ、照明器具の設置に伴う天井の破損を防止できる。
【発明を実施するための最良の形態】
【００２２】
以下、図面に示す実施例に基づき本発明の実施の形態を説明する。
【００２３】
図１は、本発明の天井埋込型照明器具の使用状態を示す断面図である。同図に示すように、本発明の天井埋込型照明器具は、その器具本体１が天井Ｔに形成した開口Ｔ１から挿入されて天井Ｔに埋め込み設置されている。
【００２４】
器具本体１は、その内部に笠状の反射板２を備えており、この反射板２の内部に図示しない電球が配置されている。また、器具本体１の側板１ａには、支持部材３が設けられており、その上下の支持部３ａ，３ａに係合部材４が上下方向に移動可能かつ上下方向の軸周りに回転可能に取り付けられている。そして、この係合部材４の下端の第２係合部４ｂが天井Ｔの裏面に係合することにより、器具本体１が天井Ｔに埋め込まれた状態で保持される。また、係合部材４の上側には弾性部材としてコイルバネ５が装着されている。このコイルバネ５の上端は支持部材３の上側の支持部３ａに当接させ、下端は係合部材４のバネ止め部４ｃに係止させている。これによって、係合部材４はコイルバネ５によって下方に付勢されるようになっている。このような支持部材３および係合部材４の組み合わせが、器具本体１の側面に等間隔で３箇所に設けられている。
【００２５】
図２および図３は、支持部材３および係合部材４の詳細を示す。図２は、係合部材４の第２係合部４ｂが器具本体１側に退避した非係合状態を示し、図３は、係合部材４の第２係合部４ｂが器具本体１の外方に突出した係合状態を示す。また、図２および図３において、それぞれ（ａ）は正面図、（ｂ）は側面図である。
【００２６】
支持部材３は器具本体１と別体の一枚物の板材からなり、器具本体１の側板１ａの両側部に上下方向に形成したスライド溝１ｂにビス６を使用して器具本体１の側板１ａに取り付けられている。このビス６は器具本体１の側板１ａに螺合されており、このビス６を緩めることにより、支持部材３はスライド溝１ｂに沿ってスライド可能となり、器具本体１に対する上下方向の設置位置を連続的に変更することができる。そして、所望の設置位置でビス６を締め込むことにより、支持部材３は器具本体１の側板１ａに対して固定される。このように、支持部材３をスライド溝１ｂにビス６によって係合させることにより、ビス６を取り外すことなく、支持部材３の上下方向の設置位置が変更となる。
【００２７】
支持部材３は、係合部材４の第１係合部４ａを係止する係止部３ｂと、この係止部３ｂに連続して下方に向けて形成されたガイド溝３ｃとを有し、係止部３ｂとガイド溝３ｃとの境界部分は、係止部３ｂからガイド溝３ｃへと下る傾斜面３ｄとされている。
【００２８】
また、ガイド溝３ｂには本発明の衝撃緩和手段として突出部３ｅ，３ｆが設けられている。突出部３ｅは、傾斜面３ｄの下端部分に連続して、ガイド溝３ｂの一方の側面の上端部分に設けられ、突出部３ｆは、突出部３ｅと対向するガイド溝の他方の側面であって、突出部３の若干下方に設けられている。
【００２９】
なお、上述のとおり、支持部材３は一枚物の板材からなるから、係止部３ｂ、ガイド溝３ｃ、傾斜面３ｄおよび突出部３ｅ，３ｆは板材を溝孔加工するだけで、支持部３ａは曲げ加工するだけで容易に形成することができる。また、上述した器具本体１の側板１ａも、器具本体１とは別体の一枚物の板材からなり、器具本体１にビス等によって着脱可能に装着される。そして、器具本体１のスライド溝１ｂ、後述する切欠き１ｃ等は板材を溝孔加工するだけで容易に形成することができる。
【００３０】
係合部材４は金属棒等の一本の棒材からなり、上述のとおり、支持部材の支持部３ａ，３ａに、上下方向に移動可能かつ上下方向の軸周りに回転可能に取り付けられている。また、係合部材４には、その途中をＵ字状に屈曲させることにより、支持部材３の係止部３ｂに係合可能な第１係合部４ａが形成され、下端部には、図１で説明したように天井Ｔの裏面と係合可能な第２係合部４ｂが屈曲加工により形成されている。また、第２係合部４ｂには、本発明の衝撃吸収手段としてゴム製の衝撃吸収部材４ｄが装着されている。
【００３１】
以上の構成において、器具本体１を天井Ｔに埋め込み設置する際には、予め係合部材４を図２に示す非係合状態とする。係合部材４を非係合状態にするには、係合部材４をコイルバネ５の付勢力に抗してガイド溝３ｂに沿って上昇させ、さらに上下方向の軸周りに第１の方向（実施例では下方から見て時計周り方向）に回転させることにより、第１係合部４ａを支持部材３の係止部３ｂに係合させ保持する。この非係合状態では係合部材４の第２係合部４ｂが器具本体１側に退避して天井Ｔの裏面と係合することはないので、器具本体１を天井Ｔの開口Ｔ１から天井裏面側に挿入可能である。実施例では、器具本体１の側板１ａに複数段の切欠き１ｃを設け、この切欠き１ｃ部分に係合部材４の第２係合部４ｂを退避させるようにしている。
【００３２】
器具本体１を天井Ｔの開口Ｔ１から天井裏面側に挿入し所定の位置に設置した後、係合部材４を前記第１の方向とは反対の第２の方向に回転させる。これにより、係合部材４の第１係合部４ａと支持部材３の係止部３ｂとの係合が解除され、係合部材４がコイルバネ５の付勢力でガイド溝３ｃに沿って下降し、ガイド溝３ｃの下端部で停止する。これによって、図１に示すように、係合部材４の第２係合部４ｂが器具本体１の外方に突出して天井Ｔの裏面と係合する係合状態となる。すなわち、図２および図３に示すように、係合部材４の上下方向の軸線位置（支持部材３の上下の支持部３ａ，３ａの位置）が、係止部３ｂとガイド溝３ｃとの境界部分である傾斜面３ｄに対応する位置にあるので、係合部材４を第２の方向に回転させるだけで、コイルバネ５の付勢力により、第１係合部４ａが係止部３ｂから傾斜面３ｄを経由してガイド溝３ｃに至り、係合状態となる。
【００３３】
この係合状態では、図３に示すように、係合部材４の第１係合部４ａはガイド溝３ｃ内に位置し、第１係合部４ａがガイド溝３ｃと干渉することにより係合部材４は上下方向の軸周りには回転不能となり、係合状態が確実に維持される。
【００３４】
ここで、本実施例では、ガイド溝３ｃに突出部３ｅ，３ｆを設けているので、係合部材４の第１係合部４ａがガイド溝３ｃ内を下降するときに突出部３ｅ，３ｆに接触することにより、係合部材４の第２係合部４ｂが天井の裏面と係合する際の衝撃が緩和される。すなわち、突出部３ｅ，３ｆによりガイド溝３ｃが屈曲した形状になっているので、これが第１係合部４ａの通過の抵抗となって衝撃が緩和される。さらに、第２係合部４ｂには衝撃吸収部材４ｄが装着されているので、これによっても衝撃が緩和される。衝撃が緩和されることにより、付勢力の大きなコイルバネ５を使用しても天井の破損を防止でき、結果として従来よりも付勢力の大きな弾性部材を使用できるので、器具本体を天井により確実に設置でき、器具本体のガタツキや天井からの垂れ下がりあるいは落下の発生を確実に防止できる。
【００３５】
上述のとおり、係合部材４を非係合状態から係合状態にするには、係合部材４を第２の方向に回転させる必要があるが、本実施例では、器具本体１の側板１ａと反射板２外周面との間の隙間Ｓ（図１参照）から、例えばへら状の操作治具を挿入し、この操作治具を使用して係合部材４の第１係合部４ａを操作して第２の方向に回転させることができるようにしている。これによって、器具本体１を天井Ｔの開口Ｔ１から天井裏面側に挿入した状態で、容易に係合部材４を係合状態にすることができる。さらに、本実施例では、コイルバネ５を係合部材４の上側に装着しており、その分、係合部材４の第１係合部４ａが隙間Ｓに近い下側に配置されているので、前記のへら状の操作治具による第１係合部４ａの操作を容易に行うことができる。加えて本実施例では、３箇所に取り付けている係合部材４の第１係合部４ａの向きを揃えているので、前記のへら状の操作治具を一方向に移動させるだけですべての係合部材４を係合状態にすることができる。
【００３６】
また、係合部材４を係合状態から非係合状態に戻すには、係合部材４をコイルバネ５の付勢力に抗してガイド溝３ｃに沿って上昇させ、さらに第１の方向に回転させるが、本実施例では、図１に示すように、器具本体１の下部フランジ部１ｄに操作口１ｅを設け、この操作口１ｅから例えば棒状の操作治具を挿入し、この操作治具によって係合部材４の第２係合部４ｂを下方から挟持して、上昇および回転操作を行い、非係合状態に戻すことができるようにしている。これによって、器具本体１の取り外し作業も天井Ｔを破損することなく容易に行うことができる。
【００３７】
さらに、本実施例では、上述のとおり、係合部材４を支持する支持部材３を器具本体１の側板１ａに設けたスライド溝１ｃに沿ってスライド可能とし、その上下方向の設置位置を変更可能としている。これによって、天井Ｔの裏面と係合する第２係合部４ｂの上下方向の位置を施工現場の天井板の厚みに応じて調整することが可能となる。例えば、天井板の厚みが図１の天井Ｔの天井板よりも厚い場合には、支持部材３を上方にスライドさせる。このスライド動作は、ビス６を緩めるだけで行うことができるので、ビス６を取り外して再度装着するといった煩雑な作業を伴うことなく、支持部材３（係合部材４）の上下方向の設置位置を容易に変更可能である。なお、係合部材４を非係合状態にしたときに、第２係合部４ｂを退避させる位置となる切欠き１ｃも、係合部材４の設置位置に合わせて上下方向に複数段設けているので、係合部材４の上下方向の設置位置を変えても問題が生じることはない。
【図面の簡単な説明】
【００３８】
【図１】本発明の天井埋込型照明器具の使用状態を示す断面図である。
【図２】図１の天井埋込型照明器具において係合部材が非係合状態にあるときの詳細を示し、（ａ）は正面図、（ｂ）は側面図である。
【図３】図１の天井埋込型照明器具において係合部材が係合状態にあるときの詳細を示し、（ａ）は正面図、（ｂ）は側面図である。
【符号の説明】
【００３９】
１  器具本体
１ａ  側板
１ｂ  スライド溝
１ｃ  切欠き
１ｄ  下部フランジ部
１ｅ  操作口
２  反射板
３  支持部材
３ａ  支持部
３ｂ  係止部
３ｃ  ガイド溝
３ｄ  傾斜面
３ｅ，３ｆ  突出部
４  係合部材
４ａ  第１係合部
４ｂ  第２係合部
４ｃ  バネ止め部
４ｄ  衝撃吸収部材
５  コイルバネ（弾性部材）
６  ビス
【図１】
0005027619.tif 000002
【図２】
0005027619.tif 000003
【図３】
0005027619.tif 000004